(57)【要約】【課題】高純度のスプレー水用の水を、コンパクトに、そして、低コストかつメンテナンスフリーで生成でき、しかも環境に配慮した耐候光試験装置を提供すること。【解決手段】陽極区画室、アニオン交換膜、そして、イオン減少区画室、カチオン交換膜、イオン濃縮室、アニオン交換膜を１組としたイオン交換水生成部を１又は複数、更に、イオン減少区画室、カチオン交換膜、陰極区画室の順でサンドイッチした１又は複数の電気透析部、殺菌タンク、フィルタ、蒸発器及び循環水冷却装置からなるクローズドシステムの水浄化装置を有する。【選択図】　図１
2004020311.tif 000002
【特許請求の範囲】
【請求項１】
試料スプレーを用いる耐候光試験装置において、
＜Ａ＞（イ）白金メッキを施したチタン電極からなる陽極を有する陽極区画室、（ロ）アニオン交換膜、そして、（ハ）内部が空間であるイオン減少区画室、カチオン交換膜、イオン濃縮室、アニオン交換膜を１組としたイオン交換水生成部を１又は複数、更に、（ニ）内部が空間であるイオン減少区画室、（ホ）カチオン交換膜、そして（ヘ）白金メッキを施したチタン電極からなる陰極を有する陰極区画室の順でサンドイッチした１又は複数の電気透析部、＜Ｂ＞ＵＶランプを有する殺菌タンク、＜Ｃ＞活性炭とアニオン交換樹脂とカチオン交換樹脂との混合フィルタ、＜Ｄ＞蒸発器及び＜Ｅ＞循環水冷却装置を有する
クローズドシステムの水浄化装置を有し、かつ、前記水浄化装置に水道水を流し、各電気透析部の電極間に電圧を印加し、電気透析部でイオンを減少させた水を前記混合フィルタで更に不純物を吸着除去し、ＵＶランプで殺菌して得られた浄水を試料スプレーに供給すること及びイオンを濃縮させた水を前記蒸発器で汚水成分を固形化し、蒸発させた水分を、水道水から電気透析部に至る水で冷却した後、電気透析部に供給する水道水とともに再び電気透析部に通すことを特徴とする耐候光試験装置。
【発明の詳細な説明】
【０００１】
【発明の属する技術分野】
本発明は、耐候光試験装置に関する。更に詳しくは、試料スプレーを用いて耐候光試験をする耐候光試験装置に関するものである。
【０００２】
【従来の技術】
従来の耐候光試験装置として、本出願人による実公昭５３−５１８７９号公報等に記載されているように、試料スプレーで被験体に水を連続的又は間欠的にスプレーして試験を行うものがある。試料スプレー水に不純物が含まれると、スプレー水のｐＨが中性から外れたり、被験体にシミができたりするという不具合が生じる場合があり、試験結果の評価を誤る原因の一つとなる。試料スプレー水の水質について、ＡＳＴＭ　Ｇ　２６では、全固形物が１ｐｐｍ以下で、シリカが０．２ｐｐｍ以下と規定されている。したがって、試料スプレー用の水は、水道水を直接用いず、例えば、本発明者らによる特開２０００−２４１３３７号公報に記載されているように、水道水をイオン交換樹脂塔で精製してから用いている。
【０００３】
しかし、かかる装置においては、イオン交換樹脂塔に充填するイオン交換樹脂は、すぐにイオン交換能が低下するため、樹脂を頻繁に交換しなければならず、コスト増及びメンテナンス作業増の原因になっていた。さらに、イオン交換樹脂塔を複数本用いているため、スペースを取ってしまうという問題があった。また、コロイド状のシリカはイオン交換樹脂で排除することはできなかった。
【０００４】
【発明が解決しようとする課題】
本発明は、かかる問題を鑑みてなされたものであり、したがって、本発明の目的は、高純度のスプレー水用の水を、コンパクトに、そして、低コストかつメンテナンスフリーで生成でき、しかも環境に配慮した耐候光試験装置を提供することにある。本発明者らは、上記の目的を達成するために鋭意研究を重ねた結果、試行錯誤の上、本発明を完成するに至った。
【０００５】
【課題を解決するための手段】
上記目的を達成するために、本発明の耐候光試験装置は、試料スプレーを用いる耐候光試験装置において、
＜Ａ＞（イ）白金メッキを施したチタン電極からなる陽極を有する陽極区画室、（ロ）アニオン交換膜、そして、（ハ）内部が空間であるイオン減少区画室、カチオン交換膜、イオン濃縮室、アニオン交換膜を１組としたイオン交換水生成部を１又は複数、更に、（ニ）内部が空間であるイオン減少区画室、（ホ）カチオン交換膜、そして（ヘ）白金メッキを施したチタン電極からなる陰極を有する陰極区画室の順でサンドイッチした１又は複数の電気透析部、＜Ｂ＞ＵＶランプを有する殺菌タンク、＜Ｃ＞活性炭とアニオン交換樹脂とカチオン交換樹脂との混合フィルタ、＜Ｄ＞蒸発器及び＜Ｅ＞循環水冷却装置を有する
クローズドシステムの水浄化装置を有し、
かつ、
前記水浄化装置に水道水を流し、各電気透析部の電極間に電圧を印加し、電気透析部でイオンを減少させた水を前記混合フィルタで更に不純物を吸着除去し、ＵＶランプで殺菌して得られた浄水を試料スプレーに供給すること
及び
イオンを濃縮させた水を前記蒸発器で汚水成分を固形化し、蒸発させた水分を、水道水から電気透析部に至る水で冷却した後、電気透析部に供給する水道水とともに再び電気透析部に通すことを特徴とするものである。
【０００６】
【実施例】
以下、本発明の実施例について、図面を参照して詳細に説明する。
【０００７】
図１は、本発明の耐候光試験装置の実施例１の水浄化装置部分の模式図である。本発明の実施例１の耐候光試験装置は、図１に示した水浄化装置（２１）を有する構成となっている。水浄化装置（２１）は、電気透析部（１）と殺菌タンク（１２）、フィルタ（１１）、蒸発器（２０）、循環水冷却装置（２２）を配設してある。
【０００８】
殺菌タンク（１２）は、ＵＶランプを有する。また、フィルタ（１１）は、アニオン交換樹脂とカチオン交換樹脂と活性炭とを２：１：３の比率で混合した混合フィルタである。
【０００９】
電気透析部（１）は、陽極（２）を有する陽極区画室（４）、アニオン交換膜（７）、イオン交換水生成部（２５）を２単位、イオン減少区画室（６）、カチオン交換膜（５）、そして、陰極（３）を有する陰極区画室（９）の順でサンドイッチしたものである。
【００１０】
陽極（２）及び陰極（３）は白金メッキを施したチタン電極からなる。陽極及び陰極は電源（１９）につながっている。
【００１１】
イオン減少区画室（６）は内部が空間であり、処理する水が流れる。
【００１２】
１組のイオン交換水生成部（２５）は、陽極側から陰極側への順序で言えば、イオン減少区画室（６）、カチオン交換膜（５）、イオン濃縮室（８）、そしてアニオン交換膜（７）で構成される。
【００１３】
本発明の耐候光試験装置の実施例１においては、イオン交換水生成部は、２組であるが、１組でも、３組以上でもよい。イオン交換水生成部の組数が多いほど、より多くの水を処理できる。
【００１４】
蒸発器（２０）は、二重構造で、ヒータ（２４）で処理水を間接的に温めて水分を蒸発させ、不純物は固形化する仕組みとなっている。ヒータ（２４）は、断熱材（２６）で囲まれている。
【００１５】
循環水冷却装置（２２）は、蒸発器（２０）で蒸発させた水分を冷却して液体状態にする仕組みとなっている。
【００１６】
本発明の耐候光試験装置の実施例１においては、図示していないが、電気透析部（１）は４つ並列につなげてあるが、１つでも可能である。複数を並列につなげると、大容量の浄水を供給でき、複数を直列につなげると、更に高水質の浄水を供給できる。
【００１７】
本発明の耐候光試験装置の実施例１における水浄化手順としては、まず、電磁弁（１８ａ）を開け、配管（１５）を通じ、流量調整バルブ（１７ａ、１７ｂ）を用いて流量を制御し、水浄化装置（２１）に水道水を流す。水浄化装置（２１）の、電気透析部（１）の電極間に電圧を印加する。
【００１８】
電気透析部（１）の陽極区画室（４）、陰極区画室（９）、そして、全てのイオン減少区画室（６）及びイオン濃縮室（８）に流し込まれた水道水を、上記電圧印加により、電気分解する。電解によりイオン物質が取り除かれてイオン減少区画室（６）から排出されたイオン減少水を、水質計（１０ａ）を通して水質をチェックした後に、フィルタ（１１）に送る。
【００１９】
そして、フィルタ（１１）でコロイド状シリカを除去し、更にイオン交換して純度を上げる。そして、更に水質計（１０ｂ）で水質をチェックした後、殺菌タンク（１２）に送る。
【００２０】
殺菌タンク（１２）で、上部からＵＶランプ（１３）で殺菌し、純水タンク（１４）に溜めた浄水を、ポンプ（１６ａ）を介して耐候光試験装置の試料スプレーに供給する。
【００２１】
一方で、陽極区画室（４）、陰極区画室（９）、イオン濃縮室（８）から排出された、イオンを濃縮させた水を、蒸発器（２０）に送る。
【００２２】
蒸発器（２０）では、送られてきたイオン濃縮水に熱を加えて、水分を蒸発させる。そして、汚水成分である不純物を固形化して取り出す。
【００２３】
蒸発させた水分を、更に、循環水冷却装置（２２）に送る。循環水冷却装置（２２）の冷却水としては、水道から取得して電気透析部（１）に送る途中の水道水を用いる。循環水冷却装置（２２）で、蒸発させた水分を冷却した後、凝縮水タンク（２３）に一旦溜めて、ポンプ（１６ｂ）を介し、電磁弁（１８ｂ）を開けて、電気透析部（１）に供給する水道水と混合して、再び電気透析部（１）に通す。
【００２４】
本発明の耐候光試験装置の実施例１において、１００μＳ／ｃｍの水道水を１５Ｌ／時間で処理した際、電気透析部（１）の印加電圧を１３０Ｖとしたとき、電流が最大５Ａ流れ、試料スプレー水として採取された水の純度は０．３μＳ／ｃｍ以下であり、シリカ濃度は０．１ｐｐｍ以下であった。
【００２５】
【発明の効果】
本発明の耐候光試験装置は、上述したとおりであるので、高純度のスプレー水用の水を、コンパクトに、そして、低コストかつメンテナンスフリーで生成でき、しかも環境に配慮した。
【図面の簡単な説明】
【図１】本発明の耐候光試験装置の実施例１の水浄化装置部分の模式図である。
【符号の説明】
１　電気透析部
２　陽極
３　陰極
４　陽極区画室
５　カチオン交換膜
６　イオン減少区画室
７　アニオン交換膜
８　イオン濃縮室
９　陰極区画室
１０　水質計
１１　フィルタ
１２　殺菌タンク
１３　ＵＶランプ
１４　純水タンク
１５　配管
１６　ポンプ
１７　流量調整バルブ
１８　電磁弁
１９　電源
２０　蒸発器
２１　水浄化装置
２２　循環水冷却装置
２３　凝縮水タンク
２４　ヒータ
２５　イオン交換水生成部
２６　断熱材
【図１】
2004020311.tif 000003